(57)【特許請求の範囲】
【請求項１】
ハウジングと、
このハウジングの内側に配置される中空体保持部材と、
光ファイバ保持溝あるいは光ファイバ保持孔を有し、先端から光ファイバの光軸方向に沿って外周が小さくなるテーパー面を外周面に備える前方部と、光ファイバ貫通孔を備える管状後方部とからなり、前記中空体保持部材の内側に配置される光ファイバ保持部材と、
前記光ファイバ保持部材に嵌入して前記前方部の前記テーパー面に摺接して配置され、前記前方部の先端方向に向かうに従い、前記前方部を締めつける環状部材と、
前記中空体保持部材の内側の、前記中空体保持部材に設けられた段差と前記環状部材との間に配置され、前記中空体保持部材の前記段差から前記環状部材に対して付勢することで、前記環状部材を介して前記前方部を押圧して締めつける弾性部材とを備えることを特徴とする光コネクタ。
【請求項２】
前記ハウジングの内側には、光ファイバ用貫通孔を有し前方に突出するフェルールを備え、
前記フェルールは、前記光ファイバ保持部材の前記前方部の先端の端面と当接し、前記弾性部材によって前記光ファイバ保持部材の前記前方部の先端方向に付勢された前記環状部材を介して前記光ファイバ保持部材を前記フェルールに押し当てる請求項１に記載の光コネクタ。
【請求項３】
前記弾性部材は、前記光ファイバ保持部材に嵌入して前記環状部材に隣接して配置されるばね部材である請求項１または２に記載の光コネクタ。
【請求項４】
前記光ファイバ保持部材の前記前方部は、前記前方部の先端から光ファイバ光軸方向に沿って２つ以上の切れ込みを有する請求項１〜３のいずれかに記載の光コネクタ。
【請求項５】
全体がプラスチック材料からなる光ファイバ、あるいは外層がプラスチック材料からなる光ファイバに用いられる請求項１〜４のいずれかに記載の光コネクタ。
【請求項６】
前記光ファイバ保持部材は、樹脂材料からなる請求項１〜５のいずれかに記載の光コネクタ。
【請求項７】
前記中空体保持部材の後方の内周面には、内径の変化する段差部が設けられ、この内径の変化に応じた突起部が前記光ファイバ保持部材の後方端部近傍の外周面に設けられる請求項１〜６のいずれかに記載の光コネクタ。
【発明の詳細な説明】
【０００１】
【発明の属する技術分野】
本発明は、接着材を使用せずに光ファイバを固定保持することのできる光コネクタであって、特に、フェルールとフェルールをばね部材を用いてアダプタ等に押し当てるフェルールを有する光コネクタに関する。
【０００２】
【従来の技術】
光通信の分野では、光伝達システムに光ファイバが用いられ、各種光通信機器の端末や光通信機器から伸びる光ファイバとを接続するために光コネクタが用いられている。
光コネクタは、接続するお互いの光ファイバの端面同士が精度良く接触するように、光ファイバを精度よく位置決めするための光ファイバ用貫通孔を備える円筒状部材、すなわちフェルールが使用される。例えばアダプタにおいては、スリーブによってフェルール同士を誘導して弾力的に接触させることによって光ファイバ同士を接続するが、接続に際して、フェルールおよび光ファイバは、光ファイバの接続端面から後方に向かって弾力的接触のための圧縮力を受ける。そのため、光コネクタには、この圧縮力に耐え光ファイバを保持することが必要である。さらに、フェルール同士を弾力的に接触させて光ファイバを接続するために、フェルールが一定の範囲内で弾力的に動くことも必要である。
【０００３】
ところで、光通信では、石英光ファイバを用いるのが一般的であり、この石英光ファイバを接続するための光コネクタが各種提案され用いられている。これらの光コネクタでは、石英光ファイバを低損失で接続するために上記フェルールが使用される。その際、フェルールを用いて接続のために光コネクタを組み立てる時、エポキシ系接着剤等を用いて石英光ファイバをフェルールに接着固定することによって、石英光ファイバを光コネクタに固定保持させるのが一般的である。
【０００４】
しかしながら、この接着方法によれば、接着剤の硬化のために時間がかかり、光通信システムを構築する際の作業効率の低下につながる。このため、接着剤の硬化時間を短縮するために加熱装置が用いられるが、加熱装置自体が光ファイバの接続に際して必要となるばかりか、加熱装置の予備加熱のための時間が必要となり、さらには、硬化時間を短縮したとしても３０分から１時間程度の硬化時間を必要とする。さらに、加熱のために電源が必要なためビルの屋内配線現場等の施工現場では、接続作業の制約を受ける場合がある。
【０００５】
そこで、光ファイバの接続作業の作業効率を高めるために、接着剤を使用しない光コネクタが望まれ、各種光コネクタが提案されてきた。
例えば、特公平５−４７０８１号公報では、フェルールの後方にばね部材を配置して、フェルール同士を弾力的に接続させると共に、接続に際し光ファイバを保持するようにフェルールから離れた位置でコレットチャックを用いて光ファイバを保持する光コネクタ装置が提案されている。
しかし、この装置では、フェルールとコレットチャックが離間しているために、接続の際の圧縮力によって光ファイバが座屈を起こし易く、そのため、光エネルギの劣化損失が懸念される。また、フェルールとコレットチャックが離間するため、光コネクタ自体が長くなり、将来予想される小型化の要求に対して十分に対応できない。
【０００６】
この他に、接着剤を使用せず、機械的に光ファイバを保持する光コネクタが、特開平７−１８１３４４号公報や特開平１０−０６２６５０号公報等で提案されている。しかしながら、これらはいずれも光ファイバを機械的に固定するために複数の部品を必要とし、接着によって光ファイバを固定する接着型の光コネクタに比べて構造が複雑となりコストの上昇が妨げられないといった問題があった。
【０００７】
ところで、近年、このような石英光ファイバに替わり、プラスチック光ファイバがＬＡＮ（LOCAL AREA NETWORK) や機器間接続用途等に使用され始めて来た。石英光ファイバ用に設計された光コネクタをプラスチック光ファイバの光コネクタとして用いた場合でも、石英光ファイバと同様にフェルールに接着剤を用いて光ファイバを接着固定する方法が用いられている。そのため、接続の際の問題点は石英光ファイバの場合と同様に生じた。
そのため、光伝送システムの構築の際に施工が容易な光コネクタの開発が待たれていた。
【０００８】
【発明が解決しようとする課題】
本発明の目的は、光ファイバの固定のために接着剤を使用せず、少ない部品点数で光ファイバを保持することのできる、施工が容易な光コネクタを提供することである。
【０００９】
【課題を解決するための手段】
上記目的を達成するために、本発明は、ハウジングと、このハウジングの内側に配置される中空体保持部材と、光ファイバ保持溝あるいは光ファイバ保持孔を有し、先端から光ファイバの光軸方向に沿って外周が小さくなるテーパー面を外周面に備える前方部と、光ファイバ貫通孔を備える管状後方部とからなり、前記中空体保持部材の内側に配置される光ファイバ保持部材と、前記光ファイバ保持部材に嵌入して前記前方部の前記テーパー面に摺接して配置され、前記前方部の先端方向に向かうに従い、前記前方部を締めつける環状部材と、前記中空体保持部材の内側の、前記中空体保持部材に設けられた段差と前記環状部材との間に配置され、前記中空体保持部材の前記段差から前記環状部材に対して付勢することで、前記環状部材を介して前記前方部を押圧して締めつける弾性部材とを備えることを特徴とする光コネクタを提供するものである。
【００１０】
ここで、前記ハウジングの内側には、光ファイバ用貫通孔を有し前方に突出するフェルールを備え、
前記フェルールは、前記光ファイバ保持部材の前記前方部の先端の端面と当接し、前記弾性部材によって前記光ファイバ保持部材の前記前方部の先端方向に付勢された前記環状部材を介して前記光ファイバ保持部材を前記フェルールに押し当てるのが好ましい。
また、前記弾性部材は、前記光ファイバ保持材に嵌入して前記環状部材に隣接して配置されるばね部材であるのが好ましい。
さらに、前記光ファイバ保持部材の前記前方部は、前記前方部の先端から光ファイバ光軸方向に沿って２つ以上の切れ込みを有するのが好ましい。
【００１１】
ここで、上記光コネクタには、全体がプラスチック材料からなる光ファイバ、あるいは外層がプラスチック材料からなる光ファイバが用いられるのが好ましく、また、前記光ファイバ保持部材は、樹脂材料からなるのがよい。
また、前記中空体保持部材の後方の内周面には、内径の変化する段差部が設けられ、この内径の変化に応じた突起部が前記光ファイバ保持部材の後方端部近傍の外周面に設けられるのが好ましい。
【００１２】
【発明の実施の形態】
以下、本発明の光コネクタについて、添付の図面に示される好適実施例を基に詳細に説明する。
【００１３】
図１は、本発明の光コネクタの好適実施例である組み立てられた光コネクタ１０の断面図を示す。
光コネクタ１０は、フェルール１２と、ハウジング１４と、中空体保持部材１６と、光ファイバ保持部材１８と、環状部材２０と、ばね部材２２とを主に備え、ハウジング１４を被うようにホルダー２４が設けられる。
【００１４】
フェルール１２は、光ファイバの接続のために前方、すなわち光ファイバＦの端面Ｆ1 を有する方向（図１中の矢印Ｘの方向）に突出する円筒部１２ａと基部１２ｂとからなり、円筒部１２ａは、円筒軸に沿って光ファイバＦを貫通させるフェルール貫通孔２６を有する。
基部１２ｂは、外径が円筒部１２ａの外径より広くなっており、ハウジング１４の内周面に設けられる突起部１４ａによって前方の突出が制限される。
また、フェルール１２の基部１２ｂの後方（図１中の矢印Ｘの反対方向）の端面１２ｃは、後述するように光ファイバ保持部材１８の前方先端面１８ａと当接している。
【００１５】
このようなフェルール１２は、光ファイバＦをフェルール貫通孔２６に後方より貫通させることによって、フェルール１２の前方端面において光ファイバＦの位置が精度よく定められるとともに、フェルール１２の前方端面と面一になるように端面処理（切断、研磨）が施され、アダプタを介して他の光ファイバの端面と接触して接続される。
なお、フェルール貫通孔２６の内径は、基部１２ｂ側で広く、前方で細くなっている。これは、光ファイバＦを後方から容易に挿入し貫通できるようにするためである。
【００１６】
ハウジング１４は、フェルール１２を所定の位置に収めると共に、後述する中空体保持部材１６を所定の位置に固定する部材である。
ハウジング１４の前方外周には、アダプタや光通信機器のレセプタクルとの結合のためのホルダー２４が装着される。
【００１７】
中空体保持部材１６は、ハウジング１４の内周面の、光ファイバＦの光軸方向の所定の位置に配置される筒状の中空体部材で、後述する光ファイバ保持部材１８、環状部材２０およびばね部材２２が中空体内側に配置されるように構成される。
すなわち、中空体保持部材１６は、光ファイバ保持部材１８、環状部材２０およびばね部材２２が中空体内側に配置した状態で、中空体保持部材１６の外周に設けられた突起部１６ｂをハウジング１４に設けられた切り欠き部１４ｂに嵌合させることによって、ハウジング１４内の所定の位置に固定される。
ここで、突起部１６ｂが嵌合して中空体保持部材１６を結合される切り欠き部１４ｂのハウジング１４における位置は、後述するように、中空体保持部材１６の内周面に設けられた段差部１６ａによってばね部材２２が所望の付勢力を得、環状部材２０を前方に付勢するような位置に構成される。
【００１８】
また、中空体保持部材１６は、段差部１６ａおよび段差部１６ｄを内周面に有し、段差部１６ａによって図中に示されるように、内径の小さい内周面１６ｃを形成し、その後方には、段差部１６ｄによって内径が内周面１６ｃの領域の内径より大きい内周面１６ｅを形成する。
ここで、内周面１６ｅの領域の内径が内周面１６ｃの領域の内径より大きいのは、内周面１６ｃと内周面１６ｅの境界にある段差部１６ｄによって、後述する光ファイバ保持部材１８の後方端部近傍の外周面に設けられた突起部１８ｂが前方に自由に移動することを阻止するためであり、その結果、光ファイバ保持部材１８、環状部材２０およびばね部材２２が中空体保持部材１６から容易に脱落しないようにするためである。このように部材等が容易に脱落しない構成とすることで、光ファイバ保持部材１８、環状部材２０およびばね部材２２が中空体保持部材１６に予め組み込まれた構成部材を提供することができ、施工現場における光ファイバの接続作業の効率を向上させることができる。
【００１９】
光ファイバ保持部材１８は、図２および図３に示されるように、前方部１８ｃと管状後方部１８ｄとからなる、光ファイバＦを固定保持する部材で、樹脂材料によって成形される。樹脂材料を用いることで、例えばプラスチックファイバ等と同様の圧縮特性を持ち、光ファイバＦの保持部分に傷や凹みを作ることはない。
【００２０】
前方部１８ｃは、前方部の前方先端面１８ａから光ファイバ光軸方向に沿って２つの切れ込み１８ｅを有し、分割部材１８ｆ1 および１８ｆ2 を形成する。分割部材１８ｆ1 および１８ｆ2 は、内側に光ファイバ保持溝１８ｇ1 および１８ｇ2 を有し、光ファイバＦの光軸の後方（矢印Ｘの反対方向）に行くに連れ分割部材１８ｆ1 および１８ｆ2 の離間距離が縮まるように構成され、前方部１８ｃの外周面、すなわち分割部材１８ｆ1 および１８ｆ2 の外周面には、光ファイバ光軸後方に向かって外周が小さくなるテーパー面１８ｈ1 および１８ｈ2 が備えられる。ここで、光ファイバ保持溝１８ｇ1 および１８ｇ2 の溝断面形状は半円形状であるが、この他三角形状や四角形状等の形状であってもよい。また、分割部材１８ｆ1 および１８ｆ2 を接合した際の光ファイバ保持溝１８ｇ1 および１８ｇ2 によって形成される孔の断面積は、光ファイバＦの断面積と同等かそれより小さい。
さらに、本実施例の光ファイバ保持部材１８の前方部１８ｃには、２つの切れ込み１８ｅを有するが、本発明においては、これに限定されず、３つの切れ込みや４つの切れ込みを有するものであってもよい。
【００２１】
一方、管状後方部１８ｄは、光ファイバ用貫通孔１８ｉを中心軸に沿って有する。また、管状後方部１８ｄの前方の外周面には突出部１８ｊが設けられ、中空体保持部材１６の内周面１６ｃと摺接することによって、光ファイバ保持部材１８が中空体保持部材１６の内部に精度よく位置決めされる。また、光ファイバ保持部材１８の後方端部近傍の外周面には、突起部１８ｂが設けられ、上述したように、突起部１８ｂと中空体保持部材１６の段差部１６ｄとによって光ファイバ保持部材１８の前方への移動が制限される。
【００２２】
環状部材２０は、光ファイバ保持部材１８の前方部１８ｃに嵌入してテーパー面１８ｈ1 および１８ｈ2 に摺接し、前方部１８ｃの前方先端に向かうに従って前方部１８ｃの離間する分割部材１８ｆ1 および１８ｆ2 が近接するように光ファイバ保持溝１８ｇ1 および１８ｇ2 の方向に向けて締めつける締めつけ部材である。環状部材２０の内径は、離間する分割部材１８ｆ1 および１８ｆ2 をお互いに接合した際の前方先端部の外径より小さくなっており、環状部材２０が光ファイバ保持部材１８の前方先端部から抜けて脱落しない構成となっている。
【００２３】
ばね部材２２は、中空体保持部材１６の内側の、光ファイバ保持部材１８との隙間の、環状部材２０の後方に位置し、前方部１８ｃに嵌入して配置される弾性部材である。
ばね部材２２は、中空体保持部材１６の段差部１６ａから付勢される付勢力を環状部材２０に伝える。これによって、環状部材２０は前方部１８ｃを押圧して締めつける。なお、中空体保持部材１６は、上述したように、環状部材２０に対して所望の付勢力（圧縮力）を与えるように、段差部１６ａの位置が予め設定されている。
これによって、光ファイバ保持溝１８ｇ1 や１８ｇ2 に位置する光ファイバＦが固定保持される。
本実施例では、ばね部材２２を用いているが、本発明においては、必ずしもこれに限定されず、ゴム部材等の所定の付勢力を与える公知の弾性部材であってもよい。
【００２４】
本実施例の前方部１８ｃは切れ込み１８ｅを有して分割部材１８ｆ1 および１８ｆ2 を形成するが、本発明においては、必ずしも前方部が切れ込みを有する必要はなく、例えば、中心軸に光ファイバＦの直径より大きい光ファイバ保持孔を備え、本実施例の前方部１８ｃと同様のテーパー面を備えた弾性圧縮可能な円錐台状部材を前方部に用い、環状部材２０を前方に摺動させて弾性圧縮可能な円錐台状部材を締めつけることによって、光ファイバ保持孔の内径を狭くして光ファイバＦを保持する機構としてもよい。
【００２５】
また、本実施例では、フェルール１２を備える光コネクタであるが、フェルールを備えない光コネクタであってもよい。例えば、アダプタ内に備えるスリーブに直接光ファイバ同士を挿入して、光ファイバ同士を接触させる光コネクタであってもよい。
このような光コネクタは、全体がプラスチック材料からなる光ファイバ、たとえば、全フッ素プラスチック光ファイバに用いられ、あるいは外層がプラスチック材料からなる光ファイバ、例えば石英光ファイバの外周をポリマ材料で被覆したＰＣＦ（ポリマクラッドファイバ）の接続に用いられるのが好ましい。勿論、従来からの石英光ファイバに用いられてもよい。
また、本発明の光コネクタは、ＳＣ型光コネクタやＦＣ型光コネクタに用いられるばかりでなく、ＬＣ型光コネクタやＭＵ型光コネクタに用いられてもよい。
光コネクタ１０は以上のように構成される。
【００２６】
次に、本発明の光コネクタの作用および組み立てについて、上述した光コネクタ１０に基づいて説明する。
まず、ばね部材２２および環状部材２０が光ファイバ保持部材１８の前方部１８ｃに嵌入した状態で、光ファイバ保持部材１８とともに中空体保持部材１６内の所定位置に配置される。すなわち、ばね部材２２および環状部材２０が前方部１８ｃに嵌入された状態にあるので光ファイバ保持部材１８を中空体保持部材１６の前方から挿入し、光ファイバ保持部材１８の突起部１８ｂが、突起部１８ｂの外径より内径が小さい内周面１６ｃの領域を摺動しながら、後方の内周面１６ｅの領域まで挿入される。これによって、突起部１８ｂが段差部１６ｄの前方まで戻ることはなく、光ファイバ保持部材１８は、中空体保持部材１６内に配置される。
また、これに伴って、ばね部材２２および環状部材２０も中空体保持部材１６の内部の所定位置に配置される。
【００２７】
この時、突起部１８ｂの動きが段差部１６ｄよって制限される範囲内において光ファイバ保持部材１８の可動範囲も制限されるが、この範囲内においては、自由に動くことができる。
一方、環状部材２０は、環状部材２０の内径が、前方部１８ｃの分割部材１８ｆ1 および１８ｆ2 をお互いに接合した際の前方先端部の外径より小さくなっているため、環状部材２０が光ファイバ保持部材１８から抜けて脱落することはない。そのため、ばね部材２２も光ファイバ保持部材１８から抜けて脱落することはない。
このように、ばね部材２２および環状部材２０および光ファイバ保持部材１８が中空体保持部材１６に予め組み込まれ、構成部品が脱落することなく維持されるため、施工現場における接続作業の効率を向上することができる。なお、この時、ばね部材２２は自由長に伸びている（自由長の状態にある）ので、光ファイバ保持部材１８が環状部材２０によって締め付けられるおそれはなく、分割部材１８ｆ1 、１８ｆ2 は十分に離間している。
【００２８】
その後、前記光ファイバ保持部材１８の管状後方部１８ｄから光ファイバＦを挿入して貫通させ、更に光ファイバＦをフェルール１２の基部１２ｂの端面のフェルール貫通孔２６の開口部から通してフェルール１２を貫通させ、フェルール１２の先端に突出させる。その後、フェルール１２とばね部材２２、環状部材２０および光ファイバ保持部材１８が組み込まれた中空体保持部材１６は、ハウジング１４が前方から被せられ、ハウジング１４内の所定の位置に固定される。
すなわち、中空体保持部材１６は、外周面に設けられた突起部１６ｂがハウジング１４の内周面に設けられた切り欠き部１４ｂに嵌合することによって所定位置に固定される。それとともに、フェルール１２は、フェルール１２の後方の端面１２ｃが光ファイバ保持部材１８の前方先端面１８ａと当接する一方、フェルール１２の基部１２ｂは、ハウジング１４の内周面に設けられる突起部１４ａによって前方の突出が制限される。
【００２９】
この時、ばね部材２２は、段差部１６ａから前方へ向かう付勢力を受け、この力によってテーパー面１８ｈ1 および１８ｈ2 に摺接する環状部材２０を前方に押し出す。さらに、環状部材２０は、光ファイバ保持部材１８を前方に押し出し、フェルール１２を所定の付勢力で前方に押し付ける。これによって、アダプタ等を介して光ファイバを接続する際、フェルール同士を弾力的に接触させることで、光ファイバに座屈等の損傷を与えることなく光ファイバを弾力的に接続させることができる。
【００３０】
また、環状部材２０は、ばね部材２２の付勢力によって前方に押し出されるので、前方部１８ｃを締めつけ、その結果、光ファイバＦは分割部材１８ｆ1 および１８ｆ2 によって締めつけられ保持固定される。光ファイバ保持部材１８は、樹脂材料を用いるため、光ファイバＦの保持部分を傷付けたり凹みを作らせることはない。
ハウジング１４が装着された後、光ファイバＦの端面処理が行われ、アダプタや光通信機器のレセプタクルとの結合のためのホルダー２４が装着される。
このようにして、光コネクタ１０は組み立てられる。
【００３１】
次に、図１に示す光コネクタ１０を作成し、光ファイバＦの保持力および光伝送損失を調べた。
使用した光ファイバＦは、外径が５６５μｍのプラスチックファイバを用い、光ファイバ保持部材１８の分割部材１８ｆ1 および１８ｆ2 をお互いに接合した際に光ファイバ保持溝１８ｇ1 および１８ｇ2 によって形成される溝断面を内径が５６５μｍの円形状とし、さらにフェルール１２の光ファイバ貫通孔２６の内径を５８０μｍとした。また、ばね部材２２が環状部材２０および光ファイバ保持部材１８を介してフェルール１２を前方に押しつける付勢力を４００ｇとし、光ファイバ保持部材１８によって光ファイバＦを保持させた。ハウジング１４およびホルダー２４は、従来より石英光ファイバの光コネクタに用いられるＳＣ型光コネクタを流用した。
【００３２】
この時の光コネクタ１０がプラスチック光ファイバを保持する保持力は１ｋｇ以上であり、また、光コネクタ１０がフェルールを前方に押しつける付勢力は、アダプタやレセプタクルにフェルールを挿入して光ファイバを弾力的に接続する際に必要とされる圧縮力を上回るものであった。
【００３３】
また、光コネクタ１０が光ファイバを保持固定する際に生じる光ファイバの受ける圧縮応力によって光伝送の損失劣化を、８５０ｎｍの波長の光を発光するＬＥＤ（レーザ発光ダイオード）光源を用いて調べた。調べた光ファイバは、全フッ素プラスチック光ファイバであった。その結果、圧縮応力に起因する損失劣化は認められなかった。
【００３４】
さらに、光ファイバの両端に本発明の構成を有する光コネクタを用い、両端が光学研磨された長さが２ｍの全フッ素プラスチック光ファイバの結合損失を、８５０ｎｍの波長の光を発光するＬＥＤ光源を使って評価した。その結果、従来の接着剤を用いた光コネクタと同等あるいはそれ以上の良好な結合損失の結果が得られた。
【００３５】
以上より、本発明の光コネクタは、アダプタやレセプタクルを用いて光ファイバを弾力的に接続することができ、しかも光ファイバ保持力も十分にあり、光伝送における損失劣化もなく、結合損失も従来と同等あるいは従来よりも良好であることは明白である。
【００３６】
以上、本発明の光コネクタについて詳細に説明したが、本発明は上記実施例に限定はされず、本発明の要旨を逸脱しない範囲において、各種の改良および変更を行ってもよいのはもちろんである。
【００３７】
【発明の効果】
以上、詳細に説明したように、本発明の光コネクタは、光ファイバの固定のために接着剤を使用せず、少ない部品点数で機械的に保持することができるため、施工時の光ファイバの接続作業自体が容易となり、作業効率も向上する。そのため、短時間で光ファイバの接続が可能となる。
さらに、本発明の光コネクタを用いたプラスチック光ファイバの結合損失も従来と同等あるいはそれ以上の性能が認められた。
【図面の簡単な説明】
【図１】  本発明の光コネクタの一実施例の構成を示す断面図である。
【図２】  図１に示される光コネクタの光ファイバ保持部材、環状部材およびばね部材を示す外観図である。
【図３】  図２に示されるＡ−Ａ線から矢印方向に見た光ファイバ保持部材の断面図である。
【符号の説明】
１０  光コネクタ
１２  フェルール
１２ａ  円筒部
１２ｂ  基部
１４  ハウジング
１４ａ、１６ｂ、１８ｂ  突起部
１４ｂ  切り欠き部
１６  中空体保持部材
１６ａ，１６ｄ  段差部
１６ｃ、１６ｅ  内周面
１８  光ファイバ保持部材
１８ａ  前方先端面
１８ｃ  前方部
１８ｄ  環状後方部材
１８ｅ  切れ込み
１８ｆ1 、１８ｆ2 分割部材
１８ｇ1 、１８ｇ2 光ファイバ保持溝
１８ｈ1 、１８ｈ2 テーパー面
１８ｉ  光ファイバ貫通孔
１８ｊ  突出部
２０  環状部材
２２  ばね部材
【図１】
0004059606.tif 000002
【図２】
0004059606.tif 000003
【図３】
0004059606.tif 000004